(57)【要約】【課題】興趣に富み、環境保全にも資することができる筒形の祝儀入れを提供する。【解決手段】この筒形の祝儀入れ１は、祝儀を入れる紙製の容器であって、下端２ｂが閉塞され、上端２ａが開口された筒形の本体２と、上端３ａが閉塞され、下端３ｂが開口された蓋体３とを備え、本体２はその上部に他の部分よりも小径の嵌め込み部２ｃを有し、この嵌め込み部２ｃに蓋体３が取り付けられてなる。本体２と蓋体３は、例えば円筒形である。【選択図】図１
0003214875.tif 000002
【実用新案登録請求の範囲】
【請求項１】
祝儀を入れる紙製の容器であって、
下端が閉塞され、上端が開口された筒形の本体と、上端が閉塞され、下端が開口された蓋体とを備え、
前記本体はその上部に他の部分よりも小径の嵌め込み部を有し、この嵌め込み部に前記蓋体が、その開口がある下端部から嵌め込まれて前記蓋体が取り付けられてなる筒形の祝儀入れ。
【請求項２】
請求項１に記載の筒形の祝儀入れにおいて、前記本体と前記蓋体は円筒形であり、両者が取り付けられた状態で、その合わせ部の外周面が面一である筒形の祝儀入れ。
【請求項３】
請求項１または請求項２に記載の筒形の祝儀入れにおいて、前記本体の内径は、百円硬貨の外径よりも０．５〜６ｍｍ大きい筒形の祝儀入れ。
【請求項４】
請求項１から請求項３のいずれかに記載の筒形の祝儀入れにおいて、前記蓋体を前記本体から取り外すときに開放音を発生させる緊度で前記本体と前記蓋体とが嵌合されている筒形の祝儀入れ。
【考案の詳細な説明】
【技術分野】
【０００１】
本考案は、興趣に富み、環境保全にも資する筒形の祝儀入れに関する。
【背景技術】
【０００２】
一般に、日常のお祝い事や子供に渡すお年玉あるいはお車代などは、紙袋の中に金品を入れて渡す慣習がある。
【考案の概要】
【考案が解決しようとする課題】
【０００３】
このような紙袋はありふれているために魅力的とはいえず、金品を受け取る人の記憶にも残りにくい。また、紙袋の中の金品を取り出すと、不要ゴミとして廃棄され、環境保全の面でも好ましくない。
【０００４】
本考案は、興趣に富み、環境保全にも資することができる筒形の祝儀入れを提供することを目的する。
【課題を解決するための手段】
【０００５】
上記目的を達成するために、本考案に係る筒形の祝儀入れは、祝儀を入れる紙製の容器であって、下端が閉塞され、上端が開口された筒形の本体と、上端が閉塞され、下端が開口された蓋体とを備え、前記本体はその上部に他の部分よりも小径の嵌め込み部を有し、この嵌め込み部に前記蓋体が、その開口がある下端部から嵌め込まれて取り付けられてなる。
【考案の効果】
【０００６】
この構成によると、筒形の本体の上端の開口から本体内に、紙幣や硬貨を入れ、上から蓋体を嵌合することで、祝儀が収納され、落下することはない。祝儀には、祝い金、お年玉のほか、お車代などの種々の謝礼金も含まれる。
【０００７】
また、従来の紙袋とは全く異なる筒形であるから、興趣に富む。筒形の本体内に、紙幣を筒形にまるめて収容した状態あるいは硬貨を収容した状態で、お祝儀やお年玉として、あるいは誕生日祝いとして、手渡すことで、双方に長らく良い思い出として残る。筒形の本体内には、紙幣や硬貨のほか、飴やチョコレートを一緒に入れたり、手紙を添えたりもできる。さらに、金品を取り出した後は、印鑑ケース、菓子入れ等としても多岐に幅広く活用できる。
【０００８】
また、この筒形の祝儀入れは紙製の容器であるので、安価でコストがかからず、一定期間の使用後、容器自体が傷んだ場合でも燃えるゴミとしてそのまま廃棄できるので、環境保全にも資するところが大きい。
【図面の簡単な説明】
【０００９】
【図１】本考案の一実施形態に係る筒形の祝儀入れの分解斜視図である。
【図２】同祝儀入れの縦断面図である。
【考案を実施するための形態】
【００１０】
以下、本考案の好ましい実施形態について図面を参照しながら説明する。
〈筒形の祝儀入れ全体の概略構成〉
図１に示すように、筒形の祝儀入れ１は、紙製の容器であって、下端２ｂが閉塞され、上端２ａが開口された筒形の本体２と、上端３ａが閉塞され、下端３ｂが開口された蓋体３とを備える。前記本体２はその上部に他の部分よりも小径の嵌め込み部２ｃを有し、この嵌め込み部２ｃに蓋体３をその開口された下端３ｂから矢印方向Ｆに嵌め込むことで取り付ける。逆に、矢印方向Ｆとは反対方向に引き抜くことで、筒形の本体２から蓋体３が取り外される。また、図２に示すように、本体２の下端には紙製の円形の底板４が、蓋体３の上端には紙製の円形の頂板５がそれぞれ取り付けられている。底板４は本体２の嵌め込み部２ｃを除く主部２ｄの周壁２ｄｅの下端部２ｄｆを丸く曲げることによって、主部２ｄが底板４の外周面に押し付けられることで、主部２ｄの下部に固定されている。
【００１１】
本体２の主部２ｄの厚みは１．５ｍｍ程度であり、本体２の嵌め込み部２ｃの厚みは、主部２ｄよりも０．７５〜１ｍｍ程度小さくなるように設定されている。これにより、嵌め込み部２ｃと主部２ｄの間に段部２ｅが形成されている。
【００１２】
ここで、本考案の筒形の祝儀入れの構成素材として用いる紙材として、例えば上質紙の１００〜１４０ｇ／ｍ２程度のものが好ましい。この上質紙を複数枚巻き付けて本体２と蓋体３を製作する。本体２と蓋体３の外表面には適宜、装飾用の色紙を巻く。
【００１３】
本体２と蓋体３はこの実施形態の場合、いずれも断面形状が円筒形であり、図２に示すように、両者が取り付けられた状態で、蓋体３の下端３ｂが本体２の段部２ｅに突き当たり、本体２と蓋体３の合わせ部６の外周面が面一となっている。これら本体２と蓋体３はその断面形状が円筒形に限定されることはなく、例えば楕円形、四角形、六角形のような多角形であってもよい。
【００１４】
本体２の内径Ｄ１は、百円硬貨の外径Ｄ０よりも０．５〜６ｍｍ、好ましくは１〜３ｍｍ大きくなるように寸法設定されている。百円硬貨の外径Ｄ０は２２ｍｍ、５００円硬貨の外径は２６ｍｍである。また、本体２の高さ寸法は特に限定されないが、千円札、五千円札や壱万円の幅が７．６ｃｍであることを考慮すると、これらの紙幣を長手方向から筒状に丸めて本体２の内部に収納できることを前提にすれば、８ｃｍ位が使い勝手の点からみて望ましい。本体２の上端２ａと蓋体３の頂板５の内面との間には３〜８ｍｍの隙間Ｇが存在することが好ましい。
【００１５】
また、本体２と蓋体３とは、蓋体３を本体２から引き抜いて取り外すときに「ポン」という開放音を発生させる緊度で嵌合されている。
【００１６】
〈動作説明について〉
本考案に係る筒形の祝儀入れの使用方法の一例について図１を参照しながら説明する。本体２から蓋体３を引き抜いて取り外した状態で、紙幣１１を丸めて、または硬貨１２を本体２の上端２ａの開口から本体内部に入れる。その後、本体２の上方から蓋体３をその開口がある下端部３ｂから矢印方向Ｆへ向かって本体２の嵌め込み部２ｃに嵌め込むことにより、蓋体３を本体２に取り付ける。このように、一定の金品の入った状態で、筒形の祝儀入れ１を相手方に手渡す。
【００１７】
受け取った相手は、蓋体２を矢印方向Ｆとは反対の方向に引き抜いて蓋体２を本体２から取り外し、金品１１，１２を取り出す。
【００１８】
〈作用・効果について〉
図１に示す筒形の本体２の上端２ａの開口から本体２内に、紙幣１１や硬貨１２を入れ、上から蓋体３を嵌合することで、祝儀が収納され、落下することはない。
【００１９】
また、従来の紙袋とは全く異なる筒形であるから、興趣に富む。筒形の本体２内に、紙幣１１を筒形にまるめて収容した状態あるいは硬貨１２を収納した状態で、お祝儀やお年玉として、あるいは誕生日祝いとして、手渡すことで、双方に長らく良い思い出として残る。筒形の本体２内には、硬貨や紙幣のほか、飴やチョコレートを一緒に入れたり、手紙を添えたりもできる。さらに、金品を取り出した後は、印鑑ケース、菓子入れ等としても多岐に幅広く活用できる。
【００２０】
また、この筒形の祝儀入れ１は紙製の容器であるので、安価でコストがかからず、一定期間の使用後、容器自体が傷んだ場合でも燃えるゴミとしてそのまま廃棄できるので、環境保全にも資するところが大きい。
【００２１】
また、本体２と蓋体３は円筒形であり、両者２，３が取り付けられた状態で、図２に示すように、その合わせ部６の外周面が面一であるので、子供の手に持ちやすく、合わせ部６にがさつき感や違和感がなく、肌触りがよい。
【００２２】
また、本体２の内径Ｄ１は、百円硬貨の外径Ｄ０よりも０．５〜６ｍｍ大きい寸法に設定しされているので、百円硬貨の直径が２２ｍｍ、五百円硬貨の直径が２６ｍｍであることを考慮すると、寸法的にみて、少なくとも百円硬貨を収納できる。百円硬貨の外径２２ｍｍよりも６ｍｍ大きい２８ｍｍであれば、余裕をもって五百円硬貨も収納できる。この他、五円硬貨や五十円硬貨、その他海外のコインも同様に入れることができるので、少額の貯金箱としても使える。
【００２３】
さらに、蓋体３を本体３から引き抜いて取り外すときに開放音を発生させる緊度で本体２と蓋体３とを嵌合させているので、本体２の嵌め込み部２ｃと蓋体３の密接度が高い。その結果、蓋体３を開け始めると、祝儀入れ１の内部の体積が大きくなって圧力が負圧になる。完全に開けた瞬間に周りの空気が祝儀入れ１２内に一気に流れ込み、この流れ込み時の音が「ポン」という開放音になる。この「ポン」という開放音が特に子供達には、本体２内に収容されている紙幣１１や硬貨１２を見つけたときの喜びと合わせて、興趣に富んだ印象を与える。お年玉を入れる筒形のポチ袋として用いると、めでたさが倍増する。
【００２４】
以上のとおり、図面を参照しながら好適な実施形態を説明したが、この考案の趣旨を逸脱しない範囲で、種々の追加、変更または削除が可能である。したがって、そのようなものもこの考案の範囲内に含まれる。
【符号の説明】
【００２５】
１…筒形の祝儀入れ
２…本体
２ａ…上端
２ｂ…下端
２ｃ…嵌め込み部
３…蓋体
３ａ…上端
３ｂ…下端
４…底板
５…頂板
６…合わせ部
１１…紙幣
１２…硬貨
【図１】
0003214875.tif 000003
【図２】
0003214875.tif 000004